(57)【要約】【課題】情報処理装置、表示装置、および情報処理システを提供すること。【解決手段】接続されている複数の表示装置にコンテンツデータを送信する通信部と、前記複数の表示装置のうちの１の表示装置から任意の要求が受信された場合、前記要求に対する確認画面を他の表示装置に表示させ、前記確認画面が表示された前記他の表示装置におけるユーザ操作に応じ、前記要求を許可するか否かを判断する要求判断部と、前記要求が前記要求判断部により許可された場合、前記要求に対する応答制御を行なう制御部と、を備える情報処理装置。【選択図】図４
2010098542.tif 000002
【特許請求の範囲】
【請求項１】
接続されている複数の表示装置にコンテンツデータを送信する通信部と；
前記複数の表示装置のうちの１の表示装置から任意の要求が受信された場合、前記要求に対する確認画面を他の表示装置に表示させ、前記確認画面が表示された前記他の表示装置におけるユーザ操作に応じ、前記要求を許可するか否かを判断する要求判断部と；
前記要求が前記要求判断部により許可された場合、前記要求に対する応答制御を行なう制御部と；
を備える、情報処理装置。
【請求項２】
前記要求判断部は、前記他の表示装置のいずれかにおいて前記要求を拒否するユーザ操作が行なわれた場合には前記要求を許可しない、請求項１に記載の情報処理装置。
【請求項３】
前記情報処理装置は、前記通信部から送信されるコンテンツデータを再生する再生部をさらに備え、
前記制御部は、前記要求が前記要求判断部により許可された場合、前記要求に応じて前記再生部による再生内容を制御する、請求項２に記載の情報処理装置。
【請求項４】
前記１の表示装置から特定の要求が送信され、前記要求判断部により当該特定の要求が許可された場合、前記制御部は、前記通信部と前記他の表示装置との接続を解除する、請求項２に記載の情報処理装置。
【請求項５】
前記要求判断部は、前記要求判断部により前記特定の要求が許可されている間に任意の表示装置から前記情報処理装置に対する接続要求が受信された場合、前記１の表示装置に当該接続要求の確認画面を表示させ、前記前記１の表示装置におけるユーザ操作に応じて当該接続要求を許可するか否かを判断する、請求項４に記載の情報処理装置。
【請求項６】
前記再生部は、前記複数の表示装置の全てと前記通信部との接続が解除されると、コンテンツデータの再生を停止する、請求項３に記載の情報処理装置。
【請求項７】
前記情報処理装置は、ユーザ操作を検出する操作検出部をさらに備え、
前記制御部は、前記操作検出部により検出されたユーザ操作の示す要求に対する応答制御を、前記要求判断部による前記複数の表示装置への前記確認画面の表示を経ることなく行なう、請求項１に記載の情報処理装置。
【請求項８】
情報処理装置からコンテンツデータを受信する受信部と；
前記情報処理装置に対して任意の要求を送信する送信部と；
他の表示装置からの前記情報処理装置に対する前記要求に基づいて前記情報処理装置から指示される前記要求の確認画面を表示する表示部と；
ユーザ操作を検出する操作検出部と；
を備え、
前記送信部は、前記確認画面において前記操作検出部により検出されたユーザ操作の内容を前記情報処理装置へ送信する、表示装置。
【請求項９】
複数の表示装置と；
前記複数の表示装置にコンテンツデータを送信する送信部；
前記複数の表示装置のうちの１の表示装置から任意の要求が受信された場合、前記要求に対する確認画面を他の表示装置に表示させ、前記確認画面が表示された前記他の表示装置におけるユーザ操作に応じ、前記要求を許可するか否かを判断する要求判断部、および、
前記要求が前記要求判断部により許可された場合、前記要求に対する応答制御を行なう制御部、
を有する情報処理装置と；
を備える、情報処理システム。
【発明の詳細な説明】
【技術分野】
【０００１】
本発明は、情報処理装置、表示装置、および情報処理システに関する。
【背景技術】
【０００２】
従来、複数の出力装置へ同一のコンテンツデータを送信する再生装置が存在する。例えば、コンテンツデータを再生し、再生したコンテンツデータを複数の出力装置に送信することにより、複数の出力装置における同一のコンテンツの視聴を可能とする再生装置が存在する。
【０００３】
また、特許文献１には、複数のリモートコントローラが同一の制御対象装置をネットワーク経由で制御するシステムが記載されている。具体的には、特許文献１に記載のシステムにおいては、制御権を取得したリモートコントローラからの制御指示に基づいて制御対象装置が動作する。
【０００４】
【特許文献１】特開２００７−１８４７４５号公報
【発明の開示】
【発明が解決しようとする課題】
【０００５】
ここで、特許文献１に記載のシステムのように、再生装置による再生処理を出力装置側から制御することが可能なシステムが提案されたとする。しかし、当該システムにおいては、再生装置により再生されたコンテンツデータが複数の出力装置で出力されるため、ある出力装置からの再生装置に対する制御指示が、他の出力装置でコンテンツを視聴するユーザの意向に沿わない場合が考えられる。
【０００６】
そこで、本発明は、上記問題に鑑みてなされたものであり、本発明の目的とするところは、複数のユーザの意向に沿った制御を行なうことが可能な、新規かつ改良された情報処理装置、表示装置、および情報処理システを提供することにある。
【課題を解決するための手段】
【０００７】
上記課題を解決するために、本発明のある観点によれば、接続されている複数の表示装置にコンテンツデータを送信する通信部と、前記複数の表示装置のうちの１の表示装置から任意の要求が受信された場合、前記要求に対する確認画面を他の表示装置に表示させ、前記確認画面が表示された前記他の表示装置におけるユーザ操作に応じ、前記要求を許可するか否かを判断する要求判断部と、前記要求が前記要求判断部により許可された場合、前記要求に対する応答制御を行なう制御部と、を備える情報処理装置が提供される。
【０００８】
前記要求判断部は、前記他の表示装置のいずれかにおいて前記要求を拒否するユーザ操作が行なわれた場合には前記要求を許可しなくてもよい。
【０００９】
前記情報処理装置は、前記通信部から送信されるコンテンツデータを再生する再生部をさらに備え、前記制御部は、前記要求が前記要求判断部により許可された場合、前記要求に応じて前記再生部による再生内容を制御してもよい。
【００１０】
前記１の表示装置から特定の要求が送信され、前記要求判断部により当該特定の要求が許可された場合、前記制御部は、前記通信部と前記他の表示装置との接続を解除してもよい。
【００１１】
前記要求判断部は、前記要求判断部により前記特定の要求が許可されている間に任意の表示装置から前記情報処理装置に対する接続要求が受信された場合、前記１の表示装置に当該接続要求の確認画面を表示させ、前記前記１の表示装置におけるユーザ操作に応じて当該接続要求を許可するか否かを判断してもよい。
【００１２】
前記再生部は、前記複数の表示装置の全てと前記通信部との接続が解除されると、コンテンツデータの再生を停止してもよい。
【００１３】
前記情報処理装置は、ユーザ操作を検出する操作検出部をさらに備え、前記制御部は、前記操作検出部により検出されたユーザ操作の示す要求に対する応答制御を、前記要求判断部による前記複数の表示装置への前記確認画面の表示を経ることなく行なってもよい。
【００１４】
また、上記課題を解決するために、本発明の別の観点によれば、情報処理装置からコンテンツデータを受信する受信部と、前記情報処理装置に対して任意の要求を送信する送信部と、他の表示装置からの前記情報処理装置に対する前記要求に基づいて前記情報処理装置から指示される前記要求の確認画面を表示する表示部と、ユーザ操作を検出する操作検出部と、を備える表示装置が提供される。ここで、前記送信部は、前記確認画面において前記操作検出部により検出されたユーザ操作の内容を前記情報処理装置へ送信する。
【００１５】
また、上記課題を解決するために、本発明の別の観点によれば、複数の表示装置と、前記複数の表示装置にコンテンツデータを送信する送信部、前記複数の表示装置のうちの１の表示装置から任意の要求が受信された場合、前記要求に対する確認画面を他の表示装置に表示させ、前記確認画面が表示された前記他の表示装置におけるユーザ操作に応じ、前記要求を許可するか否かを判断する要求判断部、および、前記要求が前記要求判断部により許可された場合、前記要求に対する応答制御を行なう制御部、を有する情報処理装置と、を備える情報処理システムが提供される。
【発明の効果】
【００１６】
以上説明したように本発明にかかる情報処理装置、表示装置、および情報処理システによれば、複数のユーザの意向に沿った制御を行なうことが可能である。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、以下に示す項目順序に従って当該「発明を実施するための最良の形態」を説明する。
１．本実施形態にかかる情報処理システムの全体構成
２．表示装置およびソース機器のハードウェア構成
３．情報処理システムの機能および動作
[コンテンツの視聴開始時]
[再生制御時]
[独占状態への移行時、および独占状態の開放時]
４．まとめ、および補足
【００１９】
＜１．本実施形態にかかる情報処理システムの全体構成＞
まず、図１を参照し、本実施形態にかかる情報処理システム１の全体構成について説明する。
【００２０】
図１は、本実施形態にかかる情報処理システム１の全体構成を示した説明図である。図１に示したように、本実施形態にかかる情報処理システム１は、複数の表示装置１０Ａ〜１０Ｃと、複数のソース機器２０Ａおよび２０Ｂと、アンテナ２２と、放送局１２と、を備える。
【００２１】
なお、本明細書においては、実質的に同一機能を有する複数の構成の各々は、同一符号の後に異なるアルファベットを付することで区別する。しかし、同一機能を有する複数の構成の各々を特に区別する必要が無い場合、同一符号のみを付する。例えば、表示装置１０Ａおよび１０Ｂを特に区別する必要が無い場合、単に表示装置１０と総称する。
【００２２】
放送局１２は、テレビジョン放送の番組コンテンツデータを放送電波又は専用通信網などを介して送信する。テレビジョン放送は、例えば、ＢＳ（Ｂｒｏａｄｃａｓｔ  Ｓａｔｅｌｌｉｔｅ）放送、ＣＳ（ｃｏｍｍｕｎｉｃａｔｉｏｎｓ  ｓａｔｅｌｌｉｔｅ）放送、地上波デジタル放送、地上波アナログ放送、ケーブル放送など任意の方式のテレビジョン放送であってよい。また、放送局１２は、番組コンテンツデータと併せて、当該番組コンテンツデータに関する情報（例えば、ＥＰＧ：Ｅｌｅｃｔｒｏｎｉｃ  Ｐｒｏｇｒａｍ  Ｇｕｉｄｅ）を送信することもできる。放送局１２から送信された番組コンテンツデータは、アンテナ２２により受信され、例えば表示装置１０やソース機器２０へ供給される。
【００２３】
なお、表示装置１０やソース機器２０は、ネットワークを介してコンテンツ提供サーバからコンテンツデータを取得することも可能である。ここで、コンテンツデータとしては、音楽、講演およびラジオ番組などの音楽データや、映画、テレビジョン番組、ビデオプログラム、写真、文書、絵画および図表などの映像データや、ゲームおよびソフトウェアなどの任意のデータがあげられる。
【００２４】
また、ネットワークは、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワークは、ＩＰ−ＶＰＮ（Ｉｎｔｅｒｎｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２５】
さらに、表示装置１０やソース機器２０は、装着された記憶媒体からコンテンツデータを取得することも可能である。ここで、記憶媒体は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００２６】
ソース機器２０は、１または２以上の表示装置１０と接続され、接続されている表示装置１０へコンテンツデータを送信する。ソース機器２０は、上記のように任意の方法によりコンテンツデータを取得できるが、以下では、ソース機器２０が取得したコンテンツデータを内蔵する記憶媒体に記録しておき、記憶媒体に記録されているコンテンツデータを送信する例に重きをおいて説明する。
【００２７】
なお、図１においてはソース機器２０と表示装置１０が無線で接続される例を示しているが、本発明はかかる例に限定されない。例えば、ソース機器２０と表示装置１０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）やコンポーネントなどの有線で接続されていてもよい。また、ソース機器２０と表示装置１０が無線で接続される場合、双方向での通信が可能な任意の無線通信方式を適用することができる。
【００２８】
また、図１においては、情報処理装置の一例として家庭用映像処理装置やＰＣ（Ｐｅｒｓｏｎａｌ  Ｃｏｍｐｕｔｅｒ）などのソース機器２０を示しているが、情報処理装置はかかる例に限定されない。例えば、情報処理装置は、ＰＤＡ（Ｐｅｒｓｏｎａｌ  Ｄｉｇｉｔａｌ  Ａｓｓｉｓｔａｎｔｓ）、家庭用ゲーム機器、家電機器、携帯用映像処理装置、携帯用ゲーム機器、チューナー、複数の再生装置と接続される入力セレクタなどであってもよい。
【００２９】
表示装置１０は、接続されているソース機器２０から送信されるコンテンツデータに基づいてコンテンツの表示および音声出力を行なう。この表示装置１０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置であってもよい。さらに、表示装置１０は、上述のソース機器２０と同様に任意の情報処理装置であってもよい。
【００３０】
このような本実施形態にかかる情報処理システム１においては、各表示装置１０Ａ〜１０Ｃが、任意のソース機器２０Ａまたは２０Ｂと接続することができる。図１においては、一例として、表示装置１０Ａがソース機器２０Ａと接続され、表示装置１０Ｂがソース機器２０Ｂと接続されている様子を示している。
【００３１】
また、ユーザは、ソース機器２０と表示装置１０が１対１で接続されている場合、当該表示装置１０を操作することによりソース機器２０の動作を制御することができる。例えば、図１に示した表示装置１０Ａのユーザは、表示装置１０Ａを操作することにより、ソース機器２０に送信させるコンテンツデータを切替えることが可能である。
【００３２】
ただし、本実施形態にかかるソース機器２０は、複数の表示装置１０へコンテンツデータを送信する機能を有するため、同一のソース機器２０に複数の表示装置１０が接続される場合も想定される。例えば、ソース機器２０Ａに、表示装置１０Ａに加えて表示装置１０Ｃが接続される場合も考えられる。しかし、表示装置１０Ａのユーザが表示装置１０Ａを介してソース機器２０Ａに対して行なう制御は、必ずしも表示装置１０Ｃのユーザの意向に沿う制御ではない。
【００３３】
そこで、上記事情を一着眼点にして本実施形態にかかる情報処理システム１を創作するに至った。本実施形態にかかる情報処理システム１によれば、表示装置１０の各々のユーザの意向に沿った制御を行なうことが可能である。以下、このような情報処理システム１を構成する表示装置１０およびソース機器２０について詳細に説明する。
【００３４】
＜２．表示装置およびソース機器のハードウェア構成＞
図２は、ソース機器２０のハードウェア構成を示したブロック図である。ソース機器２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、を備える。また、ソース機器２０は、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００３５】
ＣＰＵ２０１は、演算処理装置および制御装置として機能し、各種プログラムに従ってソース機器２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバス２０４により相互に接続されている。
【００３６】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３７】
入力装置２０８は、マウス、キーボード、タッチパネル、ボタン、マイク、スイッチおよびレバーなどユーザが情報を入力するための入力手段と、ユーザによる入力に基づいて入力信号を生成し、ＣＰＵ２０１に出力する入力制御回路などから構成されている。ソース機器２０のユーザは、該入力装置２０８を操作することにより、ソース機器２０に対して各種のデータを入力したり処理動作を指示したりすることができる。
【００３８】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３９】
ストレージ装置２１１は、本実施形態にかかるソース機器２０の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、コンテンツデータが記録される。
【００４０】
ドライブ２１２は、記憶媒体用リーダライタであり、ソース機器２０に内蔵、あるいは外付けされる。ドライブ２１２は、装着されている磁気ディスク、光ディスク、光磁気ディスク、または半導体メモリ等のリムーバブル記録媒体２４に記録されている情報を読み出して、ＲＡＭ２０３に出力する。
【００４１】
通信装置２１５は、例えば、表示装置１０に接続するための通信デバイス等で構成された通信インタフェースである。この通信装置２１５は、表示装置１０との間で例えばコンテンツデータ、または各種要求などを送受信する。また、通信装置２１５は、ネットワークを介して接続されているコンテンツ提供サーバなどと通信することも可能である。
【００４２】
図３は、本実施形態にかかる表示装置１０のハードウェア構成を示すブロック図である。
【００４３】
図３に示すように、表示装置１０は、表示パネル１００と、ＣＰＵ１０８と、フラッシュＲＯＭ１１０と、フラッシュメモリ１１２と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１１４を備える。また、表示装置１０は、リモートコントローラ受光部１１６と、地上波チューナー１２２と、デジタルチューナー１２４を備える。また、表示装置１０は、音声Ａ／Ｄ変換回路１２６と、ビデオデコーダ１２８と、ＭＰＥＧデコーダ１３０と、音声信号処理回路１３２と、映像信号処理回路１３４を備える。さらに、表示装置１０は、通信装置１３６と、音声増幅回路１４０と、スピーカ１４２と、グラフィック生成回路１４４と、パネル駆動回路１４６を備える。
【００４４】
地上波チューナー１２２は、アナログ地上波を受信する地上波アンテナ１０２から送られてくる放送波信号を受信し、放送波信号に含まれる映像信号および音声信号を、ベースバンドの信号に復調する。地上波チューナー１２２で復調されたベースバンドの信号のうち、音声信号は音声Ａ／Ｄ変換回路１２６に送られ、映像信号はビデオデコーダ１２８に送られる。
【００４５】
デジタルチューナー１２４は、デジタル放送を受信するデジタルアンテナ１０４から送られてくる放送波信号を受信し、受信した放送波信号をＭＰＥＧ２−ＴＳ（ＭＰＥＧ２  Ｔｒａｎｓｐｏｒｔ  Ｓｔｒｅａｍ）に変換する。変換されたＭＰＥＧ２−ＴＳは、ＭＰＥＧデコーダ１３０に送られる。なお、デジタルアンテナ１０４および地上波アンテナ１０２は図１に示したアンテナ２２に対応する。
【００４６】
音声Ａ／Ｄ変換回路１２６は、地上波チューナー１２２で復調されたアナログ音声信号を受け取り、アナログ音声信号をデジタルの音声信号に変換する。変換されたデジタル音声信号は、音声信号処理回路１３２に送られる。
【００４７】
ビデオデコーダ１２８は、地上波チューナー１２２で復調された映像信号を受け取り、アナログ映像信号をデジタルコンポーネント信号に変換する。変換されたデジタルコンポーネント信号は映像信号処理回路１３４に送られる。
【００４８】
ＭＰＥＧデコーダ１３０は、デジタルチューナー１２４から送られてくるＭＰＥＧ２−ＴＳを受信し、音声についてはＭＰＥＧ２−ＴＳからデジタルの音声信号に変換し、映像についてはＭＰＥＧ２−ＴＳからデジタルコンポーネント信号に変換する。変換されたデジタル音声信号は音声信号処理回路１３２に送られ、変換されたデジタルコンポーネント信号は映像信号処理回路１３４に送られる。
【００４９】
音声信号処理回路１３２は、音声Ａ／Ｄ変換回路１２６やＭＰＥＧデコーダ１３０から送られてくるデジタル音声信号を受信し、該デジタル音声信号に対する信号処理を行う。信号処理された音声信号は音声増幅回路１４０に送られる。また、音声信号処理回路１３２は、通信装置１３６を介してソース機器２０から受信される音声データに基づいて音声信号を生成する。
【００５０】
音声増幅回路１４０は、音声信号処理回路１３２から出力される音声信号を受信し、所定量増幅して出力する。音声増幅回路１４０における増幅量は、表示装置１０のユーザによって指示される音量に応じたものとなる。音声増幅回路１４０で増幅された音声信号は、スピーカ１４２に送られる。スピーカ１４２は、音声増幅回路１４０から送られてくる音声信号に基づいて音声を出力する。
【００５１】
映像信号処理回路１３４は、ビデオデコーダ１２８やＭＰＥＧデコーダ１３０から送られてくるデジタルコンポーネント信号を受け取り、デジタルコンポーネント信号に対する信号処理を行う。信号処理されたデジタルコンポーネント信号はグラフィック生成回路１４４に送られる。また、映像信号処理回路１３４は、通信装置１３６を介してソース機器２０から受信される映像データに基づいて映像信号を生成する。
【００５２】
通信装置１３６は、外部装置とのインターフェースであり、例えばソース機器２０との無線通信機能を有する。また、通信装置１３６は、ＨＤＭＩ端子およびＨＤＭＩレシーバを含んでもよい。
【００５３】
グラフィック生成回路１４４は、表示装置１０の操作に必要となるグラフィック画面（例えば、拡張機能の操作メニュー画面）を生成する。表示装置１０の操作に必要となるグラフィック画面は、ユーザの操作によって異なるものが生成される。グラフィック生成回路１４４で生成されるグラフィック画面は、映像信号処理回路１３４から送られてくる映像信号に重畳したり、映像信号と差し替えたりして、パネル駆動回路１４６へ送られる。なお、グラフィック画面が生成されない場合には、映像信号処理回路１３４から送られてくる映像信号をそのままパネル駆動回路１４６へ通過させてもよい。
【００５４】
パネル駆動回路１４６は、グラフィック生成回路１４４から送られてくる映像信号から、表示パネル１００に映像を表示するために必要となるパネル駆動信号を生成する。パネル駆動回路１４６で生成されたパネル駆動信号は表示パネル１００に送られ、表示パネル１００がパネル駆動信号に応じて動作することで、映像が表示パネル１００に表示される。
【００５５】
表示パネル１００は、パネル駆動回路１４６から送られてくるパネル駆動信号に基づいて画像（動画像又は静止画像）を表示する。表示パネル１００は、例えば、ＬＣＤ（Ｌｉｑｕｉｄ  Ｃｒｙｓｔａｌ  Ｄｉｓｐｌａｙ）で構成されるが、ＰＤＰ（Ｐｌａｓｍａ  Ｄｉｓｐｌａｙ  Ｐａｎｅｌ）、有機ＥＬ（ｅｌｅｃｔｒｏ−ｌｕｍｉｎｅｓｃｅｎｃｅ）パネルなどであってもよい。
【００５６】
ＣＰＵ１０８、フラッシュＲＯＭ１１０、フラッシュメモリ１１２及びＳＤＲＡＭ１１４は、上述した組み込みシステムを構成する。この組み込みシステムは、上記表示装置１０の各部を制御するとともに、ダウンロードされたソフトウェアを用いて動作して、各種の拡張機能を実行する。
【００５７】
ＣＰＵ１０８は、表示装置１０の各部を制御する制御部として機能する。ＣＰＵ１０８は、フラッシュＲＯＭ１１０に格納されているコンピュータプログラムを読み出して、順次実行することで、表示装置１０の各構成を制御する。
【００５８】
フラッシュＲＯＭ１１０は、ＣＰＵ１０８が表示装置１０の各部を制御するためのコンピュータプログラムを格納する。フラッシュメモリ１１２は、読み書き自由なメモリである。ＳＤＲＡＭ１１４は、ＣＰＵ１０８が上記各コンピュータプログラムを実行するときの一時作業領域である。
【００５９】
リモートコントローラ受光部１１６は、リモートコントローラ１０６から送信されてきた信号を受信する。リモートコントローラ受光部１１６で受信した信号はＣＰＵ１０８に入力される。ＣＰＵ１０８は、当該信号に含まれる制御コードを解読し、当該制御コードに応じた動作（音量の調整、チャンネルの設定、操作メニューの表示等）をするように表示装置１０の各部を制御する。
【００６０】
なお、表示装置１０の各部は内部バス１２１で相互に接続されており、ＣＰＵ１０８によって表示装置１０の各部の制御が可能となるように構成されている。また、表示装置１０とリモートコントローラ１０６とは相互に無線通信してもよい。また、表示装置１０の本体に、ユーザ操作のためのボタン、ダイヤル等からなる入力部を設けてもよい。また、図３においては、表示装置１０がチューナやデコーダを備える例を示しているが、表示装置１０は、チューナやデコーダを備えていなくてもよい。
【００６１】
＜３．情報処理システムの機能および動作＞
以上、図２および図３を参照して表示装置１０およびソース機器２０のハードウェア構成を説明した。続いて、図４〜図１５を参照し、表示装置１０およびソース機器２０の機能および情報処理システム１の動作について説明する。
【００６２】
図４は、表示装置１０およびソース機器２０の構成を示した機能ブロック図である。図４に示したように、表示装置１０は、通信部１６６と、表示部１７０と、表示生成部１７４と、操作検出部１７８と、を備える。また、ソース機器２０は、通信部２６６と、記憶部２７０と、再生部２７４と、要求判断部２７８と、制御部２８２と、操作検出部２８６と、記録部２９０と、を備える。
【００６３】
ソース機器２０の通信部２６６は、表示装置１０とのインターフェースであって、表示装置１０へのコンテンツデータおよびステータスの送信、表示装置１０からの各種要求の受信などを行なう。また、通信部２６６は、表示装置１０の認証、および表示装置１０との鍵交換などの接続確立処理も行なう。この通信部２６６は、例えば、図２に示した通信装置２１５をＣＰＵ２０１が制御することにより実現される。
【００６４】
記憶部２７０にはコンテンツデータが記録されている。例えば、記憶部２７０には、「１．本実施形態にかかる情報処理システムの全体構成」において説明した任意の方法により取得されたコンテンツデータが記録部２９０により記録される。なお、このような記憶部２７０は、不揮発性メモリ、磁気ディスク、光ディスク、およびＭＯディスクなどの記憶媒体であってもよい。
【００６５】
再生部２７４は、制御部２８２による制御に基づき、記憶部２７０に記憶されているコンテンツデータを読み出す。また、再生部２７４は、必要に応じ、記憶部２７０から読み出したコンテンツデータをデコードしてもよい。なお、本明細書においては、説明の便宜上、コンテンツデータの読出しを含む処理を再生と称する。
【００６６】
再生部２７４により再生されたコンテンツデータは、通信部２６６から、ソース機器２０と接続されている表示装置１０へ送信される。複数の表示装置１０がソース機器２０と接続されている場合、再生部２７４により再生されたコンテンツデータはマルチキャストにより送信される。
【００６７】
要求判断部２７８は、接続されている表示装置１０から任意の要求が通信部２６６により受信されると、当該要求を許可するか否かを判断する。任意の要求としては、コンテンツの早送り、巻き戻し、一時停止、チャプター切替、および再生コンテンツの変更などの再生処理に関する要求や、後述の独占要求などがあげられる。詳細については後述するが、要求判断部２７８は、このような要求が通信部２６６により受信されると、要求元装置以外の表示装置１０のユーザに当該要求の実行の可否を確認し、確認結果に応じて当該要求を許可するか否かを判断する。
【００６８】
制御部２８２は、ソース機器２０の動作全般を制御する。例えば、要求判断部２７８により許可された要求に対する応答制御を行なう。より具体的には、要求判断部２７８により再生処理に関する要求が許可された場合には、当該要求にかかる再生制御を再生部２７４に実行させる。また、制御部２８２は、操作検出部２８６により検出されたユーザ操作の示す要求に対する応答制御を行なう。
【００６９】
また、制御部２８２は、全ての表示装置１０と通信部２６６との接続が解除された場合、再生部２７４によるコンテンツの再生を停止させる。かかる構成により、新たにコンテンツの視聴を開始しようとするユーザの表示装置１０によるソース機器２０への自由なアクセスが可能となる。また、消費電力の削減を図ることができる。
【００７０】
操作検出部２８６は、ソース機器２０に対するユーザ操作を検出する。ソース機器２０がリモートコントローラにより操作される場合、操作検出部２８６はリモートコントローラから発せられる赤外線の受光部、または無線の受信部であってもよい。ソース機器２０に対するユーザ操作としては、コンテンツの再生要求、早送り、巻き戻し、一時停止、チャプター切替、再生コンテンツの変更、録画開始および録画停止などがあげられる。
【００７１】
記録部２９０は、制御部２８２によりコンテンツデータの録画を指示されると、任意の方法により取得されたコンテンツデータを記憶部２７０に記録する。例えば、記録部２９０は、放送局１２から取得される番組コンテンツデータ、コンテンツ提供サーバからネットワークを介して取得されるコンテンツデータ、装着された光ディスクから取得されたコンテンツデータを記憶部２７０に記録してもよい。
【００７２】
表示装置１０の通信部１６６は、ソース機器２０とのインターフェースであって、ソース機器２０からのコンテンツデータおよびステータスの受信、ソース機器２０への各種要求の送信などを行なう。また、通信部１６６は、ソース機器２０との認証、およびソース機器２０との鍵交換などの接続確立処理も行なう。さらに、通信部１６６は、ソース機器２０から受信したコンテンツデータが暗号化されている場合、鍵交換により取得した鍵を用いて当該コンテンツデータを復号する。この通信部１６６は、例えば、図３に示した通信装置１３６をＣＰＵ１０８が制御することにより実現される。
【００７３】
表示部１７０は、通信部１６６によりソース機器２０から受信されたコンテンツデータや、表示生成部１７４により生成された表示画面を表示する。この表示部１７０は、例えば図３に示したパネル駆動回路１４６や表示パネル１００に対応している。また、ソース機器２０から受信されたコンテンツデータがエンコードされている場合、表示部１７０は当該コンテンツデータのデコードも行なう。
【００７４】
表示生成部１７４は、ソース機器２０から送信される指示に基づいて各種確認画面を生成する。確認画面の詳細な説明や具体例については図７〜図１５を参照して説明する。なお、この表示生成部１７４は、図３に示したグラフィック生成回路１４４に対応している。
【００７５】
操作検出部１７８は、表示装置１０に対するユーザ操作を検出する。操作検出部１７８は、例えば図３に示したリモートコントローラ受光部１１６に対応しており、リモートコントローラ１０６におけるユーザ操作を検出する。ユーザ操作としては、確認画面における許可・拒否操作、およびコンテンツの再生処理に関する要求を示す操作などがあげられる。
【００７６】
以下、このような表示装置１０およびソース機器２０を含む本実施形態にかかる情報処理システム１の具体的な動作を、コンテンツの視聴開始時、再生制御時、独占状態への移行時および独占状態の開放時の順に説明する。
【００７７】
[コンテンツの視聴開始時]
表示装置１０は、各ソース機器２０のステータスを取得し、ユーザにより選択されたソース機器２０との接続を行なう。以下では、図５および図６を参照し、表示装置１０Ｃにおけるコンテンツの視聴開始時の動作を具体的に説明する。
【００７８】
図５は、本実施形態にかかる情報処理システム１におけるコンテンツの視聴開始時の動作の流れを示したシーケンス図である。図５に示したように、まず、ユーザにより表示装置１０Ｃの電源が投入されると（Ｓ３０４）、表示装置１０Ｃの通信部１６６は、ソース機器２０Ａおよびソース機器２０Ｂにステータスの報告要求を送信する（Ｓ３０８、Ｓ３１２）。
【００７９】
ここで、ステータスとしては、再生中、停止中、電源オフ、再生中コンテンツのタイトル、記憶しているコンテンツのタイトル、独占状態の有無、などがあげられる。ソース機器２０Ａおよびソース機器２０Ｂは、表示装置１０Ｃからの要求に応じ、表示装置１０Ｃに対してステータス報告を行なう（Ｓ３１６、Ｓ３２０）
【００８０】
なお、図５においては、表示装置１０Ｃが要求することによりソース機器２０のステータスを取得する例を示しているが、本発明はかかる例に限定されない。例えば、ソース機器２０はステータスを周期的に送信していても、変化時（例えば、再生コンテンツの変化時）に送信してもよい。
【００８１】
表示装置１０Ｃの表示生成部１７４は、ソース機器２０Ａおよびソース機器２０Ｂからステータス報告を受けると、ソース機器２０Ａおよびソース機器２０Ｂのステータスを示すステータス画面を生成し、表示部１７０に表示させる。
【００８２】
図６は、ソース機器２０のステータス画面の具体例を示した説明図である。図６に示したように、ステータス画面は、ソース機器名と再生中のコンテンツのタイトルが含まれる。ユーザは、このステータス画面において、例えばリモートコントローラ１０６を操作することによりカーソル４２を移動させてソース機器２０を選択することができる。なお、ソース機器２０においてコンテンツの再生が行なわれていない場合、表示装置１０は「Ｎｏ  Ｐｌｙｉｎｇ」などその旨を表示することにより、ユーザが当該ソース機器２０の再生を実行できることを通知する。
【００８３】
そして、上記ステータス画面においてユーザがソース機器２０Ａを選択すると、表示装置１０Ｃがソース機器２０Ａへ接続要求を送信する（Ｓ３３２）。続いて、表示装置１０の通信部１６６とソース機器２０の通信部２６６は、認証処理および鍵交換を行なった後、相互に接続される（Ｓ３４０）。その後、ソース機器２０Ａは、再生中のコンテンツデータのマルチキャストによる表示装置１０Ｃへの送信を開始する（Ｓ３４０）。
【００８４】
このように、本実施形態によれば、コンテンツの視聴開始時に、ユーザが各ソース機器２０で再生中のコンテンツを把握した上で接続するソース機器２０を選択できるため、ユーザ利便性の向上が期待される。
【００８５】
[再生制御時]
同一のソース機器２０と複数の表示装置１０が接続されている場合、ソース機器２０における再生制御の変化は複数の表示装置１０における表示内容に影響を与える。したがって、ある表示装置１０のユーザがソース機器２０に対して所望する再生制御が、他のユーザの意向に反する場合も想定される。このため、ソース機器２０は、１の表示装置１０から再生制御に関する要求があった場合、当該要求の可否を他の表示装置１０に確認した上で実行する。以下、図７〜図９を参照し、表示装置１０Ａ〜１０Ｃが接続されているソース機器２０Ａの動作を具体的に説明する。
【００８６】
図７は、複数の表示装置１０Ａ〜１０Ｃが接続されているソース機器２０Ａの動作の流れを示したフローチャートである。図７に示したように、まず、ソース機器２０Ａが表示装置１０Ｃからチャプター切替要求を受信した場合（Ｓ３５４）、現在コンテンツデータのマルチキャスト中であるか否かを要求判断部２７８が判断する（Ｓ３５８）。ここで、ソース機器２０Ａは複数の表示装置１０Ａ〜１０Ｃと接続されているため、現在コンテンツデータのマルチキャスト中であると判断される。
【００８７】
この場合、要求判断部２７８は、要求元の表示装置１０Ｃ以外の表示装置１０Ａおよび１０Ｂに、例えば図８に示すチャプター切替の確認画面を表示させる（Ｓ３６２、Ｓ３６６）。
【００８８】
図８は、チャプター切替の確認画面の具体例を示した説明図である。図８に示したように、チャプター切替の確認画面は、チャプターの切替を許可するための操作（ＯＫボタン）、および拒否するための操作（Ｃａｎｃｅｌボタン）を示す。なお、当該確認画面は、例えばソース機器２０から受信した情報に基づいて表示生成部１７４により生成され、表示部１７０に表示される。また、当該確認画面において、表示装置１０Ａおよび１０Ｂのユーザによる操作が操作検出部１７８により検出されると、表示装置１０Ａおよび１０Ｂはユーザにより要求が許可されたか否かをソース機器２０へ送信する。
【００８９】
そして、要求判断部２７８は、表示装置１０Ａおよび１０Ｂの双方において要求が許可された場合、または所定の待ち時間内に応答がなかった場合、表示装置１０Ｃからのチャプター切替要求を許可する（Ｓ３７０）。さらに、制御部２８２が再生部２７４を制御し、再生部２７４にチャプター切替を実行させる（Ｓ３７４）。
【００９０】
一方、表示装置１０Ａまたは１０Ｂの少なくともいずれかにおいて要求が拒否された場合、要求判断部２７８は表示装置１０Ｃからのチャプター切替要求を許可せず、表示装置１０Ｃに図９に示す要求拒否画面を表示させる（Ｓ３７８）。なお、ソース機器２０がマルチキャスト中でない場合、要求判断部２７８は表示装置１０Ｃからの要求を許可する（Ｓ３５８）。
【００９１】
このように、本実施形態にかかるソース機器２０は、１の表示装置１０から任意の要求があった場合、接続中の他の表示装置１０の確認をとった上で当該要求に対する応答制御を行なう。したがって、本実施形態にかかるソース機器２０は、接続中の表示装置１０のユーザの意向に沿った制御を行なうことができる。すなわち、図１に示したように異なる部屋に配置されている複数の表示装置１０を複数のユーザが視聴している場合でも、同一の表示装置１０を複数のユーザが一緒に視聴している場合に行なわれるユーザ間のやり取りと等価な処理を実現できる。
【００９２】
[独占状態への移行時、および独占状態の開放時]
上述したように、本実施形態にかかるソース機器２０は、１の表示装置１０から任意の要求があった場合、接続中の他の表示装置１０の確認をとった上で当該要求に対する応答制御を行なう。しかし、あるユーザが、他のユーザの確認を得ることなく自由な操作を行なうことを所望する場合も想定される。このため、本実施形態にかかるソース機器２０は、表示装置１０からの要求に応じ、当該表示装置１０にソース機器２０の利用を独占させることができる。以下、表示装置１０の独占状態への移行時の流れを図１０〜図１２を参照して説明し、独占状態の開放時の流れを図１３〜図１５を参照して説明する。
【００９３】
図１０は、ソース機器２０Ａが表示装置１０Ａを独占状態へ移行させる流れを示したフローチャートである。図１０に示したように、まず、ソース機器２０Ａが表示装置１０Ａから独占要求を受信すると（Ｓ４０４）、要求判断部２７８は、現在コンテンツデータをマルチキャスト中であるか否かを確認する（Ｓ４０８）。そして、要求判断部２７８は、現在コンテンツデータをマルチキャスト中である場合、他の接続中の表示装置１０にソース機器２０Ａ独占の確認画面を表示させる。（Ｓ４１２）。なお、要求判断部２７８は、現在コンテンツデータをマルチキャスト中でない場合、Ｓ４２８の処理に進む。
【００９４】
図１１は、独占要求の確認画面の具体例を説明した説明図である。図１１に示したように、独占要求の確認画面は、要求を許可してソース機器２０を変更するための操作（ＯＫボタン）、要求を許可してコンテンツの視聴を中止するための操作（電源Ｏｆｆボタン）、および要求を拒否するための操作（Ｃａｎｃｅｌボタン）を示す。当該確認画面において、表示装置１０のユーザによりいずれかの操作を行なわれると、表示装置１０はユーザによる操作内容をソース機器２０へ送信する。
【００９５】
そして、要求判断部２７８は、接続中の他の全ての表示装置１０において要求が許可された場合、または所定の待ち時間内に応答がなかった場合、表示装置１０Ａからの独占要求を許可する（Ｓ４１６）。さらに、制御部２８２が通信部２６６を制御し、接続中の他の全ての表示装置１０と通信部２６６との接続を遮断させる（Ｓ４２４）。一方、接続中のいずれかの表示装置１０において要求が拒否された場合、要求判断部２７８は表示装置１０Ｃからの独占要求を許可せず、表示装置１０Ａに図９に示した要求拒否画面を表示させる（Ｓ４２０）。
【００９６】
接続中の他の全ての表示装置１０と通信部２６６との接続が遮断されると、制御部２８２が、要求元である表示装置１０Ａに例えば図１２に示す独占状態への移行通知画面を表示させる（Ｓ４２８）。
【００９７】
図１２は、独占状態への移行通知画面の具体例を示した説明図である。図１２に示したように、独占状態への移行通知画面は、独占状態への移行が完了した旨、および独占を他の表示装置１０へ非公開とするための操作（Ｃａｎｃｅｌボタン）を示す。この独占状態への移行通知画面において表示装置１０ＡのユーザによりＣａｎｃｅｌボタンが選択された場合（Ｓ４３２）、他の表示装置１０へ情報を非公開とし（Ｓ４３６）、Ｃａｎｃｅｌボタンが選択されなかった場合には公開する（Ｓ４４０）。
【００９８】
このように、表示装置１０は、独占状態へ移行することにより、他のユーザの確認を得ることなく自由にソース機器２０を制御することが可能となる。また、表示装置１０は、独占状態へ移行することにより、ソース機器２０において再生中のコンテンツデータを自装置以外に非公開とすることができる。さらに、ソース機器２０は１の表示装置１０に最適なフォーマットでコンテンツデータを送信することが可能となるため、コンテンツデータのフォーマット変換による品質低下を防止することができる。
【００９９】
図１３は、ソース機器２０Ａが表示装置１０Ｃの独占状態を開放する流れを示したフローチャートである。まず、図１３に示したように、表示装置１０Ｃの独占状態にあるソース機器２０Ａが各表示装置１０へステータス報告を行なっており（Ｓ４５４）、表示装置１０Ａから接続要求を受信したとする（Ｓ４５８）。この場合、ソース機器２０Ａの要求判断部２７８は、独占状態にある表示装置１０Ｃに図１４に示す開放要求の確認画面を表示させる（Ｓ４６２）。
【０１００】
図１４は、開放要求の確認画面の具体例を示した説明図である。図１４に示したように、開放要求の確認画面は、独占状態の開放を許可するための操作（ＯＫボタン）、および独占状態の開放を拒否するための操作（Ｃａｎｃｅｌボタン）を示す。この開放要求の確認画面において、表示装置１０Ｃの操作検出部１７８によりユーザ操作が検出されると、ユーザ操作の示す内容がソース機器２０Ａに送信される。
【０１０１】
そして、ソース機器２０Ａの要求判断部２７８は、表示装置１０Ｃにより開放要求が許可された場合、または所定の待ち時間内に応答が無かった場合（Ｓ４６６）、表示装置１０Ａからの接続要求を許可する。そして、制御部２８２が通信部２６６に表示装置１０Ａとの認証、鍵交換および接続を行なわせる（Ｓ４７０）。その後、再生部２７４により再生されているコンテンツデータを通信部２６６が表示装置１０Ａにもマルチキャストする（Ｓ４７４）。
【０１０２】
一方、ソース機器２０Ａの要求判断部２７８は、表示装置１０Ｃにより開放要求が拒否された場合（Ｓ４６６）、表示装置１０Ａからの接続要求を拒否し、表示装置１０Ａに図１５に示す要求拒否画面を表示させる（Ｓ４７８）。さらに、通信部２６６が表示装置１０Ａとの認証を拒否し、接続を拒絶する（Ｓ４８２）。
【０１０３】
なお、上記では他の表示装置１０からの要求に応じて独占状態が開放される例を説明したが、本発明はかかる例に限定されない。例えば、ソース機器２０は、独占状態にある表示装置１０のユーザによる自発的な操作によりに独占状態を開放（ステータスに含まれる独占状態を示すパラメータを削除）してもよい。また、ソース機器２０は、独占状態にある表示装置１０との接続が表示装置１０の電源Ｏｆｆなどにより解除された場合に独占状態を開放してもよい。さらに、ソース機器２０は、自装置の操作検出部２８６によりユーザ操作（例えば録画開始操作）が検出された場合に独占状態を開放してもよい。
【０１０４】
＜４．まとめ、および補足＞
以上説明したように、本実施形態によれば、コンテンツの視聴開始時に、ユーザが各ソース機器２０で再生中のコンテンツを把握した上で接続するソース機器２０を選択できるため、ユーザ利便性の向上が期待される。また、本実施形態にかかるソース機器２０は、１の表示装置１０から任意の要求があった場合、接続中の他の表示装置１０の確認をとった上で当該要求に対する応答制御を行なう。したがって、本実施形態にかかるソース機器２０は、接続中の表示装置１０のユーザの意向に沿った制御を行なうことができる。
【０１０５】
さらに、本実施形態にかかる表示装置１０は、独占状態へ移行することにより、他のユーザの確認を得ることなく自由にソース機器２０を制御することが可能となる。また、表示装置１０は、独占状態へ移行することにより、ソース機器２０において再生中のコンテンツデータを自装置以外に非公開とすることができる。さらに、ソース機器２０は１の表示装置１０に最適なフォーマットでコンテンツデータを送信することが可能となるため、コンテンツデータのフォーマット変換による品質低下を防止することができる。
【０１０６】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０７】
例えば、上記では表示装置１０の操作検出部１７８によりユーザ操作が検出された場合にソース機器２０の要求判断部２７８が当該ユーザ操作の示す要求を許可するか否かを判断する例を説明した。これに対し、ソース機器２０の操作検出部２８６により検出されたソース機器２０に対する直接操作の優先度を高くし、制御部２８２は、直接操作の示す要求に対する応答制御を要求判断部２７８による判断を経ることなく実行してもよい。
【０１０８】
また、上記では表示装置１０からの任意の要求に応じてソース機器２０の要求判断部２７８が当該要求を許可するか否かを判断する例を説明したが、本発明はかかる例に限定されない。例えば、ソース機器２０に対する番組コンテンツデータの録画要求についても要求判断部２７８による上記判断を経る必要があるとすると、番組コンテンツデータを録画できない場合が生じる。したがって、番組コンテンツデータの録画要求など特定の要求の優先度を高くし、制御部２８２は、特定の要求に関する応答制御を要求判断部２７８による判断を経ることなく実行してもよい。
【０１０９】
また、上記では情報処理装置がソース機器２０である場合に重きをおいて説明したが、本発明はかかる例に限定されない。例えば、情報処理装置はチューナであってもよく、この場合、チューナが表示装置１０からの選局要求の可否を他の表示装置１０に確認した上で選局を行なってもよい。また、情報処理装置は複数の再生装置が接続され、いずれかの再生装置から入力されるコンテンツデータを選択的に送信する入力セレクタであってもよい。この場合、入力セレクタが表示装置１０からのセレクタ切替要求の可否を他の表示装置１０に確認した上でコンテンツデータの入力もとの再生装置を切替えてもよい。
【０１１０】
また、本明細書の情報処理システム１、またはソース機器２０の処理における各ステップは、必ずしもシーケンス図またはフローチャートとして記載された順序に沿って時系列に処理する必要はない。例えば、情報処理システム１、またはソース機器２０の処理における各ステップは、並列的あるいは個別に実行される処理（例えば、並列処理あるいはオブジェクトによる処理）を含んでもよい。
【０１１１】
また、表示装置１０に内蔵されるＣＰＵ１０８、フラッシュＲＯＭ１１０およびＳＤＲＡＭ１１４などのハードウェアを、上述した表示装置１０の各構成と同等の機能を発揮させるためのコンピュータプログラムも作成可能である。同様に、ソース機器２０に内蔵されるＣＰＵ２０１、ＲＯＭ２０２およびＲＡＭ２０３などのハードウェアを、上述したソース機器２０の各構成と同等の機能を発揮させるためのコンピュータプログラムも作成可能である。
【０１１２】
また、上記コンピュータプログラムを記憶させた記憶媒体も提供される。さらに、図４の機能ブロック図で示したそれぞれの機能ブロックをハードウェアで構成することで、一連の処理をハードウェアで実現することもできる。
【図面の簡単な説明】
【０１１３】
【図１】本実施形態にかかる情報処理システムの全体構成を示した説明図である。
【図２】ソース機器のハードウェア構成を示したブロック図である。
【図３】本実施形態にかかる表示装置のハードウェア構成を示すブロック図である。
【図４】表示装置およびソース機器の構成を示した機能ブロック図である。
【図５】本実施形態にかかる情報処理システムにおけるコンテンツの視聴開始時の動作の流れを示したシーケンス図である。
【図６】ソース機器のステータス画面の具体例を示した説明図である。
【図７】複数の表示装置が接続されているソース機器の動作の流れを示したフローチャートである。
【図８】チャプター切替の確認画面の具体例を示した説明図である。
【図９】要求拒否画面の具体例を示した説明図である。
【図１０】ソース機器が表示装置を独占状態へ移行させる流れを示したフローチャートである。
【図１１】独占要求の確認画面の具体例を説明した説明図である。
【図１２】独占状態への移行通知画面の具体例を示した説明図である。
【図１３】ソース機器が表示装置の独占状態を開放する流れを示したフローチャートである。
【図１４】開放要求の確認画面の具体例を示した説明図である。
【図１５】要求拒否画面の具体例を示した説明図である。
【符号の説明】
【０１１４】
１０        表示装置
２０        ソース機器
１６６、２６６  通信部
１７０      表示部
１７４      表示生成部
１７８、２８６  操作検出部
２７０      記憶部
２７４      再生部
２７８      要求判断部
２８２      制御部
２９０      記録部
【図１】
2010098542.tif 000003
【図２】
2010098542.tif 000004
【図３】
2010098542.tif 000005
【図４】
2010098542.tif 000006
【図５】
2010098542.tif 000007
【図６】
2010098542.tif 000008
【図７】
2010098542.tif 000009
【図８】
2010098542.tif 000010
【図９】
2010098542.tif 000011
【図１０】
2010098542.tif 000012
【図１１】
2010098542.tif 000013
【図１２】
2010098542.tif 000014
【図１３】
2010098542.tif 000015
【図１４】
2010098542.tif 000016
【図１５】
2010098542.tif 000017